(57)【特許請求の範囲】
【請求項１】
複数のアンプとアンプコントロール装置とがネットワークに少なくとも接続されているアンプコントロールシステムであって、
前記アンプコントロール装置は、
前記各アンプが、上位の階層グループから下位の階層グループへ展開されていくツリー構造の階層グループのいずれの階層グループに属するかを取得して、ツリー構造の前記階層グループと、前記階層グループに属している前記アンプとがツリー表示されるツリー表示部と、前記ネットワークに接続されている全てのアンプがチェックボックス付で表示されるアンプリスト表示部とを有している表示手段と、
前記アンプリスト表示部に表示されている前記アンプのいずれかを削除、あるいは、他の前記階層グループに追加可能な操作手段を少なくとも備え、
前記ツリー表示部に表示された前記階層グループのいずれかを前記操作手段により選択した際に、前記アンプリスト表示部に表示されている前記アンプの内の選択された階層グループに属するアンプの前記チェックボックスにチェックが付されて表示され、前記操作手段により前記アンプの前記チェックボックスのチェックを新たにオンしたときに当該チェックが付されたアンプが前記選択された階層グループに追加され、各アンプの前記チェックボックスのチェックをオフしたときに当該チェックがはずされたアンプが前記選択された階層グループから削除されることを特徴とするアンプコントロールシステム。
【請求項２】
前記操作手段により各アンプの前記チェックボックスのチェックを新たにオンしたときに当該チェックが付されたアンプが他の階層グループに属していたときは、当該アンプが前記他の階層グループから削除されて前記選択された階層グループに追加されることを特徴とする請求項１記載のアンプコントロールシステム。
【請求項３】
前記操作手段により各アンプの前記チェックボックスのチェックを新たにオンしたときに、前記選択された階層グループに下位の階層グループが存在しているときは、前記選択された階層グループと前記下位の階層グループのいずれかを選択させる選択画面を前記表示手段に表示し、該選択画面において前記操作手段により選択されたいずれかの階層グループに、前記チェックが新たにオンされたアンプが追加されることを特徴とする請求項１記載のアンプコントロールシステム。
【発明の詳細な説明】
【技術分野】
【０００１】
この発明は、ネットワークに接続されている複数のオーディオアンプをコントロールするアンプコントロールシステムに関する。
【背景技術】
【０００２】
従来、コンサートホールや劇場などの音響拡声装置（ＰＡ：Public Address）や音楽製作などに使用されるプロ用のオーディオシステムがある。このオーディオシステムにおいては多くのオーディオアンプが使用されており、所定の場所に配置された多数のスピーカにそれぞれオーディオ信号を供給している。この場合、オーディオシステムをネットワーク化してオーディオアンプをネットワークに接続し、ネットワークを介して各オーディオアンプをコントロールするアンプコントロール装置が知られている。
【発明の開示】
【発明が解決しようとする課題】
【０００３】
複数のアンプとアンプコントロール装置とがネットワークに接続されている本出願人が提案しているアンプコントロールシステムにおいては、ネットワークに存在しているすべてのアンプのリストや、グループ化されたアンプのツリー表示がアンプコントロール装置に表示される。アンプコントロール装置に表示されるコントロール用画面の一例を図８に示す。図８に示すコントロール用画面１３０は、ツリー表示部１３２とアンプリスト表示部１３３とを有し、ネットワークに存在しているすべてのアンプのリストがアンプリスト表示部１３３に表示されている。また、ツリー表示部１３２には４つのグループ「Ｄｅｖｉｃｅ」「Ｒａｃｋ」「ＦｅｅｄＳｔ」「Ｕ．Ｄ．１」の内の選択されたグループがツリー表示される。ツリー表示するグループはタブ１３１により選択することができ、図１０ではグループ「Ｒａｃｋ」が選択されて、グループ「Ｒａｃｋ」がツリー表示部１３２にツリー表示されている。ツリー表示では、グループをさらに展開した階層グループと階層グループに属するアンプを表示することができる。なお、グループ「Ｄｅｖｉｃｅ」はネットワークに接続されているデバイス別のグループであり、グループ「Ｒａｃｋ」はアンプが積まれているラックのグループであり、グループ「ＦｅｅｄＳｔ」はアンプに接続されているスピーカのエリア別・役割別とされるグループであり、グループ「Ｕ．Ｄ．１」はユーザ定義のグループである。
【０００４】
アンプコントロール装置では、コントロール用画面１３０のアンプリスト表示部１３３に表示されたアンプリストから所望のアンプを選択して、ツリー表示部１３２に表示されている階層グループのいずれかにドラッグアンドドロップすることにより、ドロップされた階層グループに新たなアンプを追加することができる。また、アンプコントロール装置の表示装置に表示されたコンテキストメニューから、新たに追加するアンプをひとつずつ所望の階層グループに追加することができるようにされている。
ここで、ドラッグアンドドロップによるアンプの追加の態様を図９、図１０に示す。図９に示すコントロール用画面１３０において、アンプリスト表示部１３３に表示されている上から３つ目の「Device ID」が「００３」とされたデバイス名（Device Name）が「Ｔｘ６ｎ」のアンプを、ツリー表示部１３２にツリー表示されている階層グループ「００１  Ｒａｃｋ  ＃１」にドラッグアンドドロップする。すると、図１０に示すコントロール用画面１３０のツリー表示部１３２における表示のように、「Device ID」が「００３」、デバイス名（Device Name）が「Ｔｘ６ｎ」のアンプが階層グループ「００１  Ｒａｃｋ  ＃１」に追加されると共に、当該グループの３番目に「００３：００３  Ｔｘ６ｎ」として追加して表示される。
【０００５】
しかしながら、個々のアンプを所望のグループに追加するには追加するアンプを探し出したり、追加するアンプが既に追加したいグループに登録されていないかなどを確認する作業が必要となる。しかも、アンプリスト表示部１３３には最大２５２台のアンプを表示することができることから、上記作業は非常に面倒な作業となる。この場合、ネットワーク上に存在するアンプの数が少ないときは特に問題にならないが、大規模な音響ホールになると、使用するアンプの数は数十台から数百台もの膨大な数になるため、そのつど上記した手法でアンプを所望のグループに追加するのは面倒な作業を必要とするという問題点があった。
【０００６】
そこで、本発明は、アンプを所望のグループに容易に追加することのできるアンプコントロールシステムを提供することを目的としている。
【課題を解決するための手段】
【０００７】
上記目的を達成するために、本発明のアンプコントロールシステムは、ネットワークに接続されている全てのアンプをチェックボックス付でアンプリスト表示部に表示し、チェックボックスのチェックを新たにオンしたときに当該チェックが付されたアンプが選択された階層グループに追加されることを最も主要な特徴としている。
【発明の効果】
【０００８】
本発明によれば、ネットワークに接続されている全てのアンプをチェックボックス付でアンプリスト表示部に表示し、チェックボックスのチェックを新たにオンしたときに当該チェックが付されたアンプが選択された階層グループに追加されることから、アンプを所望の階層グループに容易に追加することができるようになる。
【発明を実施するための最良の形態】
【０００９】
本発明の実施例にかかるアンプコントロールシステムの構成を示すブロック図を図１に示す。
図１に示すアンプコントロールシステム１は、ネットワーク２を備えており、このネットワーク２には、アンプコントロール機能を備えるパーソナルコンピュータ（ＰＣ）１０と、ＡＣＵ（アンプコントロールユニット）１２と、アンプ１３ａ、１３ｂ、１３ｃ、１３ｄとが接続されている。ネットワーク２は、一般的に用いられているイーサネットにより構築されておりスイッチングハブ等のハブ１１を備えている。このネットワーク２に、例えばアンプを最大２５２台接続することができる。ＰＣ１０にはアンプコントロール用プログラムがインストールされており、ＰＣ１０においてアンプコントロール用プログラムを起動することにより、アンプコントロールシステム１に存在する全てのアンプを制御対象としてネットワーク２を介して制御することができるようにされている。この場合、アンプコントロールシステム１には、ネットワーク２に接続できるインタフェースを備えるアンプ１３ａ〜１３ｄがネットワーク２に接続されると共に、ネットワーク２に接続できるインタフェースを備えていないアンプをＡＣＵ１２に接続して、ＡＣＵ１２を介してネットワーク２に接続することができる。すなわち、ＡＣＵ１２は、ネットワーク２に接続できるインタフェースを備えていないアンプをネットワーク２に接続する仲介を行うようにしている。これにより、アンプコントロールシステム１においては、ネットワーク２に接続できるインタフェースを備えるアンプは当然のことであるが、ネットワーク２に接続できるインタフェースを備えていないアンプをも、ＰＣ１０がネットワーク２を介して制御することができるようになる。
【００１０】
ネットワーク２は、コンピュータネットワークの規格の一つであって一般的に用いられているイーサネット (Ethernet) により構築されており、イーサネットはＯＳＩ参照モデルの下位二つの層である物理層およびデータリンク層で規定されている。なお、ネットワーク２を、イーサネットとＴＣＰ／ＩＰプロトコルを組合せたＬＡＮ（Local Area Network）で構築することもできる。ネットワーク２に接続されているアンプ１３ａ〜１３ｄには、図示しないオーディオケーブルを介してオーディオ信号が伝達されるようにされ、ネットワーク２を介して制御情報が伝達されるようにされている。アンプ１３ａ〜１３ｄに供給されるオーディオ信号は、コンサートホールや劇場などに設置された複数のマイクからの信号がミキサによりミキシングされたミキシング信号とされている。また、アンプ１３ａ〜１３ｄから出力されるオーディオ信号を放音するスピーカが、アンプ１３ａ〜１３ｄにオーディオケーブルを介してそれぞれ１台以上接続されており、各スピーカはコンサートホールや劇場内に分散して設置されている。
【００１１】
ＰＣ１０およびアンプ１３ａ〜１３ｄとＡＣＵ１２とはそれぞれイーサネットケーブルを介してハブ１１に接続されることによりネットワーク２が物理的に構成されている。ネットワーク２に接続するイーサネット端子を備えていないアンプは、シリアルポートを備えており、ＡＣＵ１２が備えているシリアルポートとシリアルケーブルを介して接続されることにより、イーサネット端子を備えていないアンプがネットワーク２に接続されているようにＰＣ１０から見えるようになる。これにより、ネットワーク２に接続されているアンプ１３ａ〜１３ｄと、ＡＣＵ１２を介してネットワーク２に接続されているアンプとを、ＰＣ１０によりネットワーク２を介して制御することができる。
【００１２】
ネットワーク２に接続されているＰＣ１０，ＡＣＵ１２およびアンプ１３ａ〜１３ｄにはそれぞれ一意のＩＰアドレスがネットワーク２により設定されている。ネットワーク２では制御情報が伝達され、ＰＣ１０とＡＣＵ１２およびアンプ１３ａ〜１３ｄとの間で制御情報が授受される。授受される制御情報としては、イーサネット通信を行うに必要なＡＣＵ１２およびアンプ１３ａ〜１３ｄのデバイスＩＤ（Identification）およびデバイス名の情報と、デバイスが属するグループのグループ情報およびデバイスの動作状態を表す状態情報とされる。ＰＣ１０には、アンプコントロール用プログラムがインストールされており、ＰＣ１０においてアンプコントロール用プログラムが起動されると、ＰＣ１０はネットワーク２に接続されているＡＣＵ１２およびアンプ１３ａ〜１３ｄからそれぞれデバイス情報を取得する要求をネットワーク２を介して行う。この要求に従ってネットワーク２を介して各デバイスから受け取ったデバイス情報に基づいて、ＰＣ１０はプロジェクトファイルを作成する。この場合、ＡＣＵ１２のデバイス情報には、ＡＣＵ１２に接続されているアンプとシリアル通信を行うことにより取得したアンプのデバイス情報が含まれている。プロジェクトファイルは、デバイス情報とグループ名とから構成される。グループは、観点を異ならせたアンプ群の複数のグループであり、例えばアンプの配置を観点としたラックグループ（Rack）やアンプの役割を観点としたフィードストラクチャグループ（Feed St.）、および、グループの観点をユーザが定義するユーザ定義グループ（U.D.1）がある。これらのグループのグループ名はＰＣ１０において設定することができる。
【００１３】
このように、いくつかの観点を異ならせたアンプ群の複数のグループとすることにより、ネットワーク２に数十台から数百台のアンプが接続されても、いずれかのグループを選択して観点の異なる検索を行うことで目的とするアンプに容易に到達できるようになる。なお、実際のコンサートホールや演劇場などにおいては、数十台から数百台のアンプを使用することが多くされている。
そして、ＰＣ１０においてアンプコントロール用プログラムが起動されてプロジェクトファイルが作成されると、取得されたアンプのデバイス情報に基づいてネットワーク２に存在する全てのアンプがツリー表示されるようになる。表示される際には、全てのアンプにおけるグループ情報が、プロジェクトファイルからＰＣ１０により取り出されて、グループ情報に従って各アンプがＰＣ１０の表示部にツリー表示されるようになる。また、表示部にはネットワーク２に存在する全てのアンプのアンプリストも表示される。
【００１４】
ここで、アンプ１３ａ〜１３ｄの構成を説明するが、アンプ１３ａ〜１３ｄは同一構成とされていることから、アンプ１３ａ〜１３ｄをアンプ１３としてその構成を示すブロック図を図２に示す。
図２に示すアンプ１３において、ＣＰＵ１００はアンプ１３の全体の動作を制御すると共に、アンプ制御用プログラム等の動作ソフトウェアを実行している。ＲＯＭ１０１には、ＣＰＵ１００が実行するアンプ制御用プログラム等の動作ソフトウェアが格納されており、ＲＡＭ１０２には、ＣＰＵ１００のワークエリアや自機のデバイス情報や状態情報等のデータを記憶する記憶エリアが設定されている。このＲＯＭ１０１をフラッシュメモリ等の書き換え可能なＲＯＭとすることで、動作ソフトウェアの書き換えを可能とすることができ、動作ソフトウェアのバージョンアップを容易に行うことができる。検出回路１０３は、アンプ１３に設けられているアッテネータ等の操作子１０４を走査することによって操作子１０４のイベントを検出して、イベントのあった操作子１０４に対応するイベント出力を出力している。表示回路１０５は、入力レベルおよび出力レベルやアンプ設定画面等を液晶表示器（ＬＣＤ）等の表示器１０６に表示させている。
【００１５】
通信Ｉ／Ｆ１０７は、イーサネットのインタフェースでありネットワーク通信ケーブル（イーサネットケーブル）を介してネットワーク２に接続される。この通信Ｉ／Ｆ１０７を介してＰＣ１０等の外部機器１０８と論理的に接続される。増幅回路１０９は、図示しないオーディオケーブルを介してアンプ１３に入力されたオーディオ信号を増幅する増幅回路であり、増幅回路１０９により増幅されたオーディオ信号はスピーカ１１０から放音される。状態監視回路１１１は、増幅回路１０９を監視して増幅回路１０９の動作状態を表す状態情報を作成している。この状態情報をＰＣ１０が要求した際には、状態監視回路１１１で作成された状態情報がＰＣ１０に送信される。状態情報としては、アンプ１３のパワースイッチのオン／オフ、入力レベルおよび出力レベル、ヒートシンクの温度、過大入力によるリミッタのオン／オフ動作、出力保護回路のオン／オフ動作等とされる。なお、状態監視回路１１１では、スピーカ１１０のインピーダンス値をモニタすることにより、スピーカ１１０の動作状況を確認することができる。
【００１６】
次に、ＰＣ１０の表示器に表示されるコントロール用画面の一例を図３に示す。
図３に示すコントロール用画面３０は、ツリー表示部３２とアンプリスト表示部３３との表示部を有し、ツリー表示部３２に表示するグループタイプを選択する複数のタブ３１が表示されている。図３においては、グループタイプとして「Ｒａｃｋ」のタブ３１が選択されて、ツリー表示部３２にラックグループが表示されている。ツリー表示部３２には、エリア名「Ａｒｅａ−１」のエリアに属するアンプ群がラックグループとしてツリー表示されており、ラックグループを展開した第１階層の２グループの第１階層グループ名が「００１  ＦＯＨ」および「Ｍｏｎｉｔｏｒ」とされている。また、第１階層グループ「００１  ＦＯＨ」を展開した第２階層の３グループの第２階層グループ名が「Ｓｔａｇｅ  Ｌ」「Ｓｔａｇｅ  Ｒ」「Ｏｐｅｒａｔｏｒ」とされている。ここで、「ＦＯＨ」とはFront Of Houseの略であり舞台等の前に位置するオペレータ室を意味していると共に、「Ｓｔａｇｅ  Ｌ」「Ｓｔａｇｅ  Ｒ」は舞台の左と右を意味しており、ラックグループがアンプの配置別のグループとされていることが分かる。
【００１７】
さらに、第２階層グループ「Ｓｔａｇｅ  Ｌ」を展開した第３階層の２グループの第３階層グループ名が「００１  Ｒａｃｋ  ＃１」「００２  Ｒａｃｋ  ＃２」とされている。そして、第３階層グループ「００１  Ｒａｃｋ  ＃１」が展開されて第３階層グループ「００１  Ｒａｃｋ  ＃１」に「００１：００１  Ｔｘ６ｎ」「００２：００２  Ｔｘ６ｎ」の２台のアンプが属していることが表示されている。この場合、「００１  Ｒａｃｋ  ＃１」「００２  Ｒａｃｋ  ＃２」はラック名でもあり、ラック「００１  Ｒａｃｋ  ＃１」に「００１：００１  Ｔｘ６ｎ」「００２：００２  Ｔｘ６ｎ」の２台のアンプが積まれていることが分かる。なお、「００１：００１  Ｔｘ６ｎ」における先頭の「００１」が当該アンプのデバイスＩＤであり、「００１  Ｔｘ６ｎ」がデバイス名である。もう１台のアンプも同様である。なお、図３に示すツリー表示部３２において、「□」の中に「+」が記入されている記号の上でクリックすると、その下の階層に展開されてツリー表示されるようになる。
【００１８】
また、アンプリスト表示部３３にはネットワーク２に存在する全てのアンプのアンプリストが表示される。アンプリストは、デバイス名（Device Name）とデバイスＩＤ（Device ID）からなり、図３に示すアンプリストの表示例ではデバイスＩＤ「００１」ないしデバイスＩＤ「００４」の４台のアンプが表示されており、４台のアンプのデバイス名はいずれも「Ｔｘ６ｎ」とされている。そして、アンプリスト表示部３３において特徴的な表示は各アンプの先頭にチェックボックス３３ａが表示されている構成である。図３に示す表示例においてはデバイスＩＤ「００１」とデバイスＩＤ「００２」のアンプのチェックボックス３３ａにチェックが入っている。この場合、ツリー表示部３２に表示されたラックグループのツリー表示において、第３階層グループ「００１  Ｒａｃｋ  ＃１」が選択されて当該グループの先頭のアイコンが反転して表示されている。第３階層グループ「００１  Ｒａｃｋ  ＃１」が選択されることにより、チェックが入っているデバイスＩＤ「００１」とデバイスＩＤ「００２」のアンプが第３階層グループ「００１  Ｒａｃｋ  ＃１」に属していることがアンプリスト表示部３３に表示されるようになる。このように、ツリー表示部３２に表示されているツリー表示におけるいずれかの階層のグループを選択すると、選択された階層のグループに属するアンプのチェックボックス３３ａにチェックが入ってアンプリスト表示部３３に表示されるようになる。
【００１９】
図３に示すようなコントロール用画面は、ＰＣ１０においてコントロール用画面を表示する操作を行うことにより表示される。この際に、ＰＣ１０においてコントロール用画面を表示する表示処理が行われる。この表示処理では、ネットワーク２に接続されているＡＣＵ１２およびアンプ１３ａ〜１３ｄのデバイス情報がプロジェクトファイルから読み出される。そして、読み出されたアンプ１３ａ〜１３ｄのデバイス情報から「デバイスＩＤ」、「デバイス名」、「エリアＩＤ」、「エリア名」、「グループ情報」の情報が取り出される。また、ＡＣＵ１２のデバイス情報は、ＡＣＵ１２に接続されているアンプのデバイス情報とされ、このデバイス情報から「デバイスＩＤ」、「デバイス名」、「エリアＩＤ」、「エリア名」、「グループ情報」の情報が取り出される。「グループ情報」にはアンプが属しているグループを示す情報と、アンプがツリーのいずれの階層グループに属しているかを示す情報とが含まれている。
【００２０】
次いで、取り出された情報からエリアＩＤを参照して、同じエリアＩＤを有している同じエリアに属するアンプ群にまとめ、各エリアに属しているアンプ各々のグループ情報を参照し、第１階層のグループ毎のアンプ群にまとめ、さらに次の階層のグループのアンプ群にまとめることを最終の階層であるラックのグループまで行い、各階層毎に属するアンプをデバイス名順で並べることによりツリーが作成される。さらに、取り出された各アンプのデバイスＩＤとデバイス名を参照して、デバイスＩＤ順のデバイスＩＤとデバイス名からなるアンプリストを作成し、アンプリストにおける各チェックボックス３３ａにチェックを付すか否かをそのアンプのグループ情報とツリー表示部３２において選択されているグループとを対比して決定する。そして、作成されたツリーおよびアンプリストを表示器に表示する描画処理が行われると、図３に示すコントロール用画面３０がＰＣ１０の表示器に表示されるようになる。
【００２１】
図３に示すコントロール用画面３０において、第３階層グループ「００１  Ｒａｃｋ  ＃１」にデバイスＩＤが「００３」のアンプ「Ｔｘ６ｎ」を追加する場合を図４に示す。この場合は、図４に示すように第３階層グループ「００１  Ｒａｃｋ  ＃１」を選択した状態とする。そして、アンプリスト表示部３３におけるデバイスＩＤ「００３」のアンプのチェックボックス３３ａ上でクリックして、図４に示すようにチェックボックス３３ａにチェックを付す。すると、チェックボックス３３ａにチェックが入れられたデバイスＩＤ「００３」のアンプ「Ｔｘ６ｎ」が第３階層グループ「００１  Ｒａｃｋ  ＃１」に追加されると共に、図４におけるツリー表示部３２に示すように、第３階層グループ「００１  Ｒａｃｋ  ＃１」を展開した階層に「００３：００３  Ｔｘ６ｎ」が追加表示されて、第３階層グループ「００１  Ｒａｃｋ  ＃１」にデバイスＩＤが「００３」のアンプ「Ｔｘ６ｎ」が追加されたことが表示される。なお、追加したアンプが他のグループに属していた場合は、追加したアンプは他のグループから削除されて追加されるようになる。
また、ツリー表示部３２において所定の階層グループが選択されている状態において、チェックが付されているチェックボックス３３ａの上でクリックすることによりチェックを外すようにすると、当該アンプは選択されている階層グループから削除されるようになる。
【００２２】
ここで、下位に複数の階層を有している階層グループがツリー表示部３２において選択された状態において、アンプリスト表示部３３に表示されているいずれかのアンプのチェックボックス３３ａ上でクリックしてチェックを付した場合は、選択された階層グループの下位に複数の階層グループがあることからいずれの階層グループにアンプを追加するのか決定することができないことになる。そこで、この場合にはアンプを追加したい階層グループを選択する選択画面をポップアップして、ポップアップした選択画面において追加する階層グループを選択できるようにしている。この選択画面の一例を図５に示す。図５に示す選択画面４０は、第２階層グループ「Ｓｔａｇｅ  Ｌ」が選択されている状態において、アンプリスト表示部３３に表示されているいずれかのアンプの先頭に表示されているチェックボックス３３ａ上でクリックしてチェックを入れた場合にポップアップ表示される。表示された選択画面４０において、「▼」をクリックすることにより選択リスト４１が表示されるが、この選択リスト４１には第２階層グループ「Ｓｔａｇｅ  Ｌ」と、第２階層グループ「Ｓｔａｇｅ  Ｌ」の下位のグループである第３階層グループの「００１  Ｒａｃｋ  ＃１」と「００２  Ｒａｃｋ  ＃２」が表示される。ここで、「Ｓｔａｇｅ  Ｌ」を選択して「ＯＫ」ボタン４２をクリックすると第２階層グループ「Ｓｔａｇｅ  Ｌ」にアンプが追加されるようになり、「００１  Ｒａｃｋ  ＃１」あるいは「００２  Ｒａｃｋ  ＃２」を選択して「ＯＫ」ボタン４２をクリックした場合も同様となる。また、「Ｃａｎｃｅｌ」ボタン４３をクリックするとアンプがいずれのグループにも追加されることなく選択画面４０が閉じるようになる。
なお、下位に複数の階層を有している階層グループがツリー表示部３２において選択された場合には、選択された階層グループとその下位の階層グループに属するアンプのチェックボックス３３ａにチェックが付されてアンプリスト表示部３３に表示されるようになる。
【００２３】
次に、コントロール用画面３０においてユーザがツリー表示部３２に表示されている階層グループのいずれかを選択した際にＰＣ１０において起動されるアンプ取得処理のフローチャートを図６に示す。
アンプ取得処理が起動されると、ステップＳ１０にて選択された階層グループに含まれるアンプを取得する。この取得は、各アンプのデバイス情報におけるどの階層グループに属しているかを示しているグループ情報を参照することにより行われる。次いで、Ｓ１１にてアンプリスト表示部３３に表示されているアンプリストにおいて、選択された階層グループに含まれるアンプのチェックボックス３３ａにチェックを付ける。これにより、アンプ取得処理は終了する。なお、選択された階層グループに下位の階層グループが含まれている場合は、選択された階層グループと下位の階層グループに含まれるアンプが取得されて、そのチェックボックス３３ａにチェックが付けられるようになる。
【００２４】
次に、コントロール用画面３０においてユーザがアンプリスト表示部３３におけるチェックボックス３３ａの操作を行った際にＰＣ１０において起動されるアンプの追加処理のフローチャートを図７に示す。
アンプの追加処理が起動されると、ステップＳ２０にて操作されたチェックボックス３３ａの変化の方向が判断される。ここで、既にチェックが付されていたチェックボックス３３ａのチェックを外したと判断された場合（Ｏｎ→Ｏｆｆ）は、ステップＳ２１に進みツリー表示部３２において選択されている階層グループからチェックボックス３３ａが操作されたアンプが削除される。また、チェックが入っていないチェックボックス３３ａにチェックを付したと判断された場合（Ｏｆｆ→Ｏｎ）は、ステップＳ２４に進みツリー表示部３２において選択されている階層グループの下位の階層に階層グループがあるか否かが判断される。ここで、下位グループがあると判断された場合はステップＳ２５に進み、図５に示す選択画面４０をポップアップ表示して、追加する階層グループを選択させる。ステップＳ２５の処理が終了した場合、あるいは、ステップＳ２４にて下位グループがないと判断された場合は、ステップＳ２６に進みステップＳ２５にて選択された階層グループ、あるいはツリー表示部３２において選択されている階層グループにチェックボックス３３ａが操作されたアンプが追加される。この場合、チェックボックス３３ａが操作されたアンプが他の階層グループに属していた場合は、他の階層グループから当該アンプを離脱させて削除する。そして、ステップＳ２１あるいはステップＳ２６の処理が終了すると、ステップＳ２２に進みアンプコントロールシステム１の全体にチェックボックス３３ａが操作されたアンプが属する階層グループが変更されたことが通知され、ステップＳ２３にて変更を反映した再描画処理がＰＣ１０において行われて図４に示すようなコントロール用画面３０がＰＣ１０の表示器に表示されて、アンプ追加処理は終了する。
【産業上の利用可能性】
【００２５】
以上説明した本発明において、コントロール画面３０のツリー表示部３２に表示されているいずれかのアンプを選択すると、ＰＣ１０は選択されたアンプに状態情報を要求し、アンプから得られた状態情報をアンプリスト表示部３３を替えた状態情報表示部に表示する。表示される状態情報は、アンプのパワースイッチのオン／オフ、入力レベルおよび出力レベル、ヒートシンクの温度、過大入力によるリミッタのオン／オフ動作、出力保護回路のオン／オフ動作等とされる。また、スピーカに接続されているスピーカの動作状況も表示される。
また、アンプが所属する階層グループを変更するようにしても、アンプリスト表示部３３に表示されるアンプリストはチェックボックス３３ａの表示を除いて変わらない。また、アンプが複数の階層グループの所属先を持つことはないため、すでにいずれかの階層グループに属するアンプを、別の階層グループに移すことを簡単な操作で行うことができるようになる。また、ネットワークには制御情報を流すようにしたが、オーディオ信号と制御情報とをネットワークに流すようにしても良い。さらに、ネットワークはイーサネットとしたがＬＡＮにより構築するようにしても良い。なお、観点を異ならせたアンプ群の複数のグループ（ラックグループ、フィードストラクチャグループ、ユーザ定義グループ等）には、それぞれのグループにネットワークに接続されている各アンプが重複して属するようになる。
【図面の簡単な説明】
【００２６】
【図１】本発明の実施例にかかるアンプコントロールシステムの構成を示すブロック図である。
【図２】本発明にかかるアンプコントロールシステムにおけるアンプの構成を示すブロック図である。
【図３】本発明にかかるアンプコントロールシステムにおけるＰＣの表示器に表示されるコントロール用画面の一例を示す図である。
【図４】本発明にかかるアンプコントロールシステムにおいてアンプを階層グループに追加した際に表示されるコントロール用画面の一例を示す図である。
【図５】本発明にかかるアンプコントロールシステムにおいて下位グループを有する階層グループにアンプを追加する際に表示される階層グループの選択画面を示す図である。
【図６】本発明にかかるアンプコントロールシステムにおけるＰＣで実行されるアンプ取得処理のフローチャートである。
【図７】本発明にかかるアンプコントロールシステムにおけるＰＣで実行されるアンプ追加処理のフローチャートである。
【図８】提案しているアンプコントロール装置に表示されるコントロール用画面の一例を示す図である。
【図９】提案しているアンプコントロール装置に表示されるコントロール用画面においてアンプを追加する態様を示す図である。
【図１０】提案しているアンプコントロール装置に表示されるコントロール用画面においてアンプが追加された状態を示す図である。
【符号の説明】
【００２７】
１  アンプコントロールシステム、２  ネットワーク、１０  パーソナルコンピュータ（ＰＣ）、１１  ハブ、１２  ＡＣＵ、１３ａ〜１３ｄ  アンプ、３０  コントロール用画面、３１  タブ、３２  ツリー表示部、３３  アンプリスト表示部、４０  選択画面、４１  選択リスト、４２  ツリー表示部、４２  ＯＫボタン、４３  Ｃａｎｃｅｌボタン、１００  ＣＰＵ、１０１  ＲＯＭ、１０２  ＲＡＭ、１０３  検出回路、１０４  操作子、１０５  表示回路、１０６  表示器、１０７  通信Ｉ／Ｆ、１０８  外部機器、１０９  増幅回路、１１０  スピーカ、１１１  状態監視回路、１３０  コントロール用画面、１３１  タブ、１３２  ツリー表示部、１３３  アンプリスト表示部
【図１】
0005076833.tif 000002
【図２】
0005076833.tif 000003
【図３】
0005076833.tif 000004
【図４】
0005076833.tif 000005
【図５】
0005076833.tif 000006
【図６】
0005076833.tif 000007
【図７】
0005076833.tif 000008
【図８】
0005076833.tif 000009
【図９】
0005076833.tif 000010
【図１０】
0005076833.tif 000011